(57)【特許請求の範囲】
【請求項１】
光ディスクを回転させるスピンドルと光ディスクに光を照射する光ヘッドとを備えたトレイを筐体の内外に移動可能に構成した光ディスク装置であって、
上記トレイに、モータとロックレバーとを備えた保持機構を取付け、該モータの軸が回転することにより前記ロックレバーが回動して前記トレイの保持を解除する構成であり、
前記保持機構に、前記モータの軸の回転に伴って回転するカムギアを設け、該カムギアに設けた凸部が前記ロックレバーと当接しながら回転することで前記ロックレバーを回動する構成とし、
前記ロックレバーは、
筐体に設けた凸部に当接して前記トレイを筐体内に保持する保持部と、
前記カムギアに設けた凸部と当接する第１の受力部と、
前記トレイに取り付けられたフロントベゼルに設けた挿入口から挿入される挿入部材の押圧を受ける第２の受力部と、
筐体に設けた凸部と当接する解除部とを有し、
前記ロックレバーを、前記トレイを筐体内に保持可能な位置に付勢して軸支し、前記トレイを筐体内に押し込む場合には、前記保持部より先に前記解除部が先に前記筐体に設けた凸部に当接する構成とし、前記解除部が前記筐体に設けた凸部に当接することに伴って前記ロックレバーが回動し、前記第１の受力部と前記カムギアに設けた凸部との当接を解除可能に構成することを特徴とする光ディスク装置。
【発明の詳細な説明】
【０００１】
【発明の属する技術分野】
本発明は、パーソナルコンピュータ（ＰＣ）等の外部機器に内蔵可能な構造の光ディスク装置に関する。
【０００２】
【従来の技術】
従来より、光ディスク装置は、ＰＣ等の外部機器の周辺機器として利用されており、光ディスク装置の中には、ＰＣ等に内蔵された光ディスク装置も存在する。
【０００３】
このようなＰＣに内蔵可能な構造の光ディスク装置は、例えば実開平４−３９８９５号公報に開示されている。
【０００４】
【発明が解決しようとする課題】
ＰＣのうち特にノート型ＰＣと呼ばれるＰＣに光ディスク装置を内蔵することを想定した場合、ノート型ＰＣ自体がデスクトップ型ＰＣと呼ばれるＰＣに比べて、薄く小さいため、光ディスク装置自体も薄型化、小型化することが望ましい。
【０００５】
光ディスク装置の薄型化、小型化を実現するためには、構成部品を効率よく実装し、スペースを減らすこと、あるいは構成部品自体を小型化、薄型化することが望ましい。
【０００６】
本発明の目的は、小型化、薄型化を図ることができる光ディスク装置を提供することを目的とする。
【０００７】
【課題を解決するための手段】
本発明の目的を達成する手段の一つとして、本発明では、光ディスクを回転させるスピンドルと光ディスクに光を照射する光ヘッドとを備えたトレイを筐体の内外に移動可能に構成した光ディスク装置に対し、トレイに、モータとロックレバーとを備えた保持機構を取付け、モータの軸が回転することによりロックレバーが回動させてトレイの保持を解除する構成とする。
【０００８】
好ましくは、前記保持機構に、モータの軸の回転に伴って回転するカムギアを設け、このカムギアに設けた凸部が前記ロックレバーと当接しながら回転することで前記ロックレバーを回動する構成とする。また、ロックレバーには、筐体に設けた凸部に当接して前記トレイを筐体内に保持する保持部と、前記カムギアに設けた凸部と当接する第１の受力部と、前記トレイに取り付けられたフロントベゼルに設けた挿入口から挿入される挿入部材の押圧を受ける第２の受力部と、筐体に設けた凸部と当接する解除部とを設ける。そしてロックレバーを、トレイを筐体内に保持可能な位置に付勢して軸支し、トレイを筐体内に押し込む場合には、保持部より先に解除部が先に筐体に設けた凸部に当接する構成とし、解除部が筐体に設けた凸部に当接することに伴ってロックレバーが回動し、第１の受力部とカムギアに設けた凸部との当接を解除可能に構成する。
【０００９】
【発明の実施の形態】
以下、本発明を適用した光ディスク装置の一実施形態を図面を用いて説明する。
図１は、本発明を適用した光ディスク装置１の全体図である。図１において、（ａ）は光ディスク装置１の左側面図、（ｂ）は光ディスク装置１の上面図、（ｃ）は光ディスク装置１の正面図である。このディスク装置１は最大で直径１２ｃｍ程度、厚さ１．２ｍｍ程度の光ディスクを対象とする光ディスク装置であり、幅、奥行を１３ｃｍ程度、高さを１．３ｃｍ程度に止めた小型、薄型の光ディスク装置である。正面をフロントベゼル２、下面、背面及び側面をボトムケース３、上面をトップケース４により構成し、正面からはフロントベゼル２しか見えないように光ディスク装置１を構成する。ボトムケース３及びトップケース４により筐体を構成する。図示していないが、背面には外部機器とのデータやコマンド（命令）の入力あるいは出力が可能なコネクタを備え付ける。
【００１０】
ＰＣ等の外部機器に内蔵されている状態では、フロントベゼル２しか見えない。光ディスク装置１を操作する場合に、ＰＣ等の外部機器を操作することにより記録あるいは再生の操作を行うほか、光ディスク装置１自体を操作して光ディスクの装着等の操作を行う。そこで、直接光ディスク装置１を操作する場合を考慮して、フロントベゼル２にトレイ移動ボタン２０１、表示器２０２及び挿入口２０３を設ける。
【００１１】
光ディスク装置１は、トレイ移動ボタン２０１を押すことにより、トレイ５（後述する）を筐体内に保持する保持機構８（後述する）によるトレイ５の保持を電気的に解除し、トレイ５を筐体外に排出する構成となっている（詳細については後述する。）。使用者は、排出されたトレイ５の上面から、トレイ５に備えられたスピンドル６０１に光ディスクを装着することができる。また、光ディスク装置１は、トレイ５を筐体内に押し込むことによってトレイ５を筐体内に保持するように構成されている。
【００１２】
表示器２０２は、ＬＥＤ等によって構成され、点灯あるいは点滅することにより、光ディスク装置１の動作状態を表示することができる。挿入口２０３は、保持機構８によるトレイ５の保持を機械的に手動で解除するために設けられている。光ディスク装置１の電源がＯＦＦのとき等で電気的にトレイ５の保持を解除できないときにトレイ５を筐体外に排出したい場合には、挿入口２０３内に挿入部材（図示せず）を押し込むことで、保持機構８によるトレイ５の保持を解除することができる（詳細については後述する。）。フロントベゼル２自体にトレイ移動ボタン２０１、表示器２０２及び挿入口２０３等の、使用者が光ディスク装置１を操作するに必要な部品を設けることで、これらの部品を設ける別個のスペースを確保するために光ディスク装置１の幅あるいは高さを大きくする必要がなくなるので、光ディスク装置１の小型化、薄型化を図ることができる。
【００１３】
図２は、トレイ５が排出された状態での光ディスク装置１を表から見た斜視図である。図２より明らかなように、フロントベゼル２をトレイ５に取り付る。すなわち、トレイ５を筐体外に排出するとフロントベゼル２も筐体外に移動することになる。また、トレイ５全体を筐体外に移動させるために、トレイ５を連結バー３０３、連結バー３０４を介してボトムケース３と連結する。連結バー３０３、連結バー３０４をトレイ５の側面に配置し、その長さをボトムケース３あるいはトップケース４の奥行寸法より短くし、筐体内に収まるようにする。また、連結バー３０３、連結バー３０４が無制限に移動してトレイ５がボトムケース３から外れないように、スピンドル６０１に光ディスクを装着できる程度、すなわちトレイ５全面が筐体外に移動したらその後の移動を規制するように、トレイ５及びボトムケース３に爪や凸部等のストッパーを設ける（本実施形態では後述する凸部３０６）。この筐体内に収まる長さで、トレイ５の側面に設けた連結バー３０３、連結バー３０４によって筐体外に排出されたトレイ５を支持する構成とすることにより、ボトムケース３あるいはトップケース４に、移動に必要な部品を設けるスペースを設ける必要がないため、ケースの奥行方向の寸法を光ディスクの直径とほぼ同等とすることが可能になり、薄型化、小型化を図ることができる。
【００１４】
また、トレイ５の幅を、回路基板３０１（後述する）、スピンドル６０１、光ヘッド６０２等を備えたユニットメカ６（後述する）が収まる寸法にとどめ、１０．５ｃｍ程度としている。つまり、ボトムケース３とトップケース４とで形成する空間を、トレイ５及び連結バー３０３、連結バー３０４が収まる空間と光ディスクが回転するに必要な空間の最小限の空間にとどめることで、光ディスク装置１の小型化、薄型化を図ることができる。
【００１５】
なお、トレイ５には、ディスクが装着される表側とユニットメカ６が取り付けられる裏側がある。この表側には上面部（図２のハッチング部分）と下面部（ハッチングのされていない略円状の部分）とがあり、光ディスクをスピンドルに装着できるだけの段差を設け、光ディスクの周りを壁で取り囲むようような構造にする。トレイ５の上面部の高さは、光ディスクをスピンドル６０１に装着したときの光ディスクの上面より高くする。また、トレイ５の下面部の高さは、光ディスクをスピンドル６０１に装着したときの光ディスクの下面より低くする。トレイ５の上面部及び下面部の高さをこのように設定することにより、光ディスクをトレイ５及びトップケース４に接触させることなくスピンドル６０１によって回転させることができる。以後、奥行、幅及び高さと称する場合、上側（表側）及び下側（裏側）と称する場合には、図２に示した方向を指すものとする。
【００１６】
図３は、トレイ５が排出された状態での光ディスク装置１であり、トップカバー４を外した状態の上面図である。光ディスク装置１の小型化、薄型化を図るため、スピンドル６０１を上昇、下降させるスペースを設けることはできない。従って、光ディスクを回転させるスピンドル６０１、光ディスクに光を照射してその戻り光を検出して電気信号に変換する光ヘッド６０２等をトレイ５に取り付けざるをえないことが分かる。ただし、データの記録や再生、外部機器との間でデータの入出力が行われる信号処理回路や上述のコネクタが備わった回路基板３０１をトレイ５ではなくボトムケース３に取付け、回路基板３０１上の信号処理回路とユニットメカ６に取り付けられた光ヘッド６０２とをフレキシブル基板３０２を介して電気的に接続するように構成する。回路基板３０１をトレイ５ではなくボトムケース３に取り付けることにより、筐体内外を移動する部品点数を減らすことができ、光ディスク装置１のうち筐体内外を移動する部分を軽量化することができる。従って、トレイ５を支えるだけの強度が求められる連結バー３０３、連結バー３０４を金属製ではなく、樹脂製とすることが可能になり、さらに軽量化を図ることができる。さらには、回路基板３０１をトレイ５に取り付けた場合に比べ、信号処理回路と外部機器との伝達距離を短縮することができることから、光ディスクから再生したデータの劣化を抑えることもできる。
【００１７】
なお、固定部分としてのボトムカバー３、トップカバー４は筐体としての強度が求められるため、金属製としている。
【００１８】
また、トレイ５の裏側に、回路基板３０１が収まるだけのスペースを設け、トレイ５が筐体内に保持されているときには、回路基板３０１がトレイ５の下に位置するように構成する（詳細については後述する。）。従って、トレイ５が収まるスペース内に回路基板３０１を収めることができるため、回路基板３０１を取り付けるためにトレイ５を収めるスペースと別個のスペースを光ディスク装置１に設ける必要がなく、光ディスク装置１の小型化、薄型化を図ることができる。
【００１９】
また、上述したとおり、トレイ５を筐体内に押し込むことによって、トレイ５は筐体内に保持されるが、トレイ５が筐体内に保持されているときには、ケース側（本実施形態ではボトムケース３）に設ける凸部３０５がトレイ５に取り付けるコイルばね５０４の一端の移動を規制するように構成する。つまり、トレイ５が筐体内に収まっているときには、保持機構８によりトレイ５を筐体内に保持されることから、コイルばね５０４は凸部３０５によってねじれ、トレイ５を筐体外に排出する方向に力を与え続ける。従って、保持機構８による保持が解除されれば、トレイ５は、コイルばね５０４による筐体外に排出する方向の力を受けて、トレイ５を手動で引き出すことができる位置に排出する。その後手動でトレイ５を引き出すことにより、図２や図３に示した位置までトレイ５を移動させることができる。
【００２０】
このように、トレイ５を移動させるローディングモータやローディングモータの回転を伝達する伝達機構が不要な移動機構とすることにより、ローディングモータや伝達機構を収めるスペースを不要になるとともに、部品点数を減らすこともできるため、光ディスク装置の小型化、薄型化を図ることができる。
【００２１】
図４は、トレイ５が排出された状態での光ディスク装置１の下面図である。説明の便宜のため、フレキシブル基板３０２は図示していない。ベゼル７によりユニットメカ６および保持機構８を覆い、ユニットメカ６及び保持機構８を保護する。また、トレイ５の幅方向に突出している部分にコイルばね５０５を設ける。コイルばね５０５の外側の端部もコイル状としてトレイ５からその一部を突出させるようにする。トレイ５が筐体内に収まっているときのトレイ５の幅方向のガタツキをこのコイルばね５０５のコイル状の部分で抑えることができる。
【００２２】
なお、トレイ５は、下面から見てベゼル７で覆われている部分に対してベゼル７で覆われていない部分は、ユニットメカ６、ベゼル７の高さ分だけ段差になっており、トレイ５が筐体内に収まっているときには、この段差になっている部分に回路基板３０１が収まる。
【００２３】
また、図示しているとおり、コイルばね５０４を、上述したトレイ５の上面部に対応する位置に取り付ける。トレイ５の上面部に対応する部分は、裏側（下面側）から見た場合にはトレイ５の下面部に対応する部分に対して窪んでいるので、トレイ５が筐体内に収まっているときにコイルばね５０４と回路基板３０１とが接触することがなく、コイルばね５０４を取り付けるための個別のスペースを設ける必要がない。従って、光ディスク装置の小型化、薄型化を図ることができる。
【００２４】
図５は、トレイ５が排出された状態での光ディスク装置１であり、ベゼル７を外した状態の下面図である。トレイ５には、ユニットメカ６の他、保持機構８を取り付ける。保持機構８をトレイ５に直接取り付けるのに対し、ユニットメカ６は、弾性部材（本実施形態ではゴム）５０１、５０２、５０３を介してトレイ５に取り付ける。ユニットメカ６には光ディスクが装着され、この光ディスクを回転させるスピンドル６０１の他、光ディスクに光を照射し、反射光を検出して電気信号に変換する光ヘッド６０２を移動させるスライドモータ６０４を取り付ける。つまり、スピンドル６０１、スライドモータ６０４といった振動の発生源となる駆動部材を備えたユニットメカ６を弾性部材５０１、５０２、５０３を介してトレイ５に取り付ける構成とすることで、ユニットメカ６に対してのみ振動対策を施すことで光ディスク装置全体の振動を低減することができる。
【００２５】
フレキシブル基板８１０は、トレイ移動ボタン２０１及び保持機構８を構成するモータ８０１とユニットメカ６に取り付けられた回路基板６０６とを電気的に接続する基板であり、フレキシブル基板６０８は、スライドモータ６０４と回路基板６０６とを電気的に接続する基板である。フレキシブル基板６０７は、光ヘッド６０２と回路基板６０６とを電気的に接続する基板である。回路基板６０６上には、光ヘッド６０２、スライドモータ６０１、モータ８０１を駆動する回路が備わっている。
【００２６】
保持機構８は、小型化、薄型化を図るため、占有スペースの大きいプランジャーを使用した保持機構とはせず、モータ８０１を用いてロックレバー８０２を操作することによりトレイ５の保持・解除を行う機構とする。プランジャーを使用した保持機構とした場合には、ロックレバーを操作するのに必要なプランジャーの大きさを考慮すると、幅、奥行に４０ｍｍ程度のスペースを必要とし、これ以上の小型化、薄型化はプランジャーの構造上困難であったが、モータ８０１を用いてロックレバー８０２を操作する保持機構８では幅、奥行に３０ｍｍ程度のスペースがあればトレイ５に取り付けることができる。従って、保持機構８を小型化、薄型化した分だけユニットメカ６を大きくすることができる。また、プランジャーを用いた場合には、衝撃が加わると誤ってロックレバーを引き込んでしまうことが有るが、モータを用いた保持機構によれば、衝撃が加わっても誤ってロックレバーを回転させて引き込むことはないので、保持機構としての信頼性を高めることができる。なお、この保持機構８の詳細は、後述する図６に示すとおりである。
【００２７】
ユニットメカ６を大きくすることができるということは光ヘッド６０２を大きくすることができることを意味する。この保持機構を、プランジャーを用いた保持機構からモータを用いた保持機構８としたことにより、幅、奥行に３０ｍｍ程度のスペースがあればトレイ５に取り付けることができるので、サブガイドバー６１３と移動部材６１５との中心軸間の距離を４０ｍｍ程度から５０ｍｍ程度とすることができ、その分だけ光ヘッド６０２を大型化することができる。光ヘッド６０２を大きくできることで、例えばＣＤ（Ｃｏｍｐａｃｔ  Ｄｉｓｃ）用の半導体レーザ及びＤＶＤ（Ｄｉｇｉｔａｌ  Ｖｅｒｓａｔｉｌｅ  Ｄｉｓｃ）用の半導体レーザといった複数の半導体レーザを備えた光ヘッド６０２を用いた光ディスク装置とすることができる。
【００２８】
図６は、図５に示した保持機構８を裏側から見たときの詳細を示す斜視図である。説明の便宜のため、フレキシブル基板８１０を省略している。シャーシ８０３に上述のモータ８０１、ロックレバー８０２の他、カムギア８０４を取り付ける。モータ８０１の軸にはウォームギア８０５を取り付ける。この保持機構８自体は、トレイ５の裏側からシャーシ８０３に設けたネジ穴８０８、８０９からネジ止めしてトレイ５に取り付ける。
【００２９】
保持機構８によるトレイ５の電気的な保持を解除する場合には、モータ８０１に通電する。モータ８０１は回転をし、モータ８０１による回転力は、ウォームギア８０５を介してカムギア８０４に伝達される。カムギア８０４が矢印Ａ１方向に回転すると、カムギア８０４に設ける凸部８０６がロックレバー８０２の第１の受力部８０２ａに当接しながら、第１の受力部８０２ａは矢印Ａ２方向に回動する。第１の受力部８０２ａが矢印Ａ２方向に回動するとロックレバー８０２の保持部８０２ｂが矢印Ｂ方向に回動して、トレイ５の保持状態を解除する。また、光ディスク装置１の電源がＯＦＦのとき等にトレイ５を機械的に筐体外に排出したい場合には、上述したフロントベゼル２に設けた挿入口２０３内に挿入部材（図示せず）を押し込む。この挿入部材が押し込まれると、ロックレバー８０２の第２の受力部８０２ｃが押圧され、第２の受力部８０２ｃは矢印Ｃ方向に回動する。第２の受力部８０２ｃが矢印Ｃ方向に回動すると保持部８０２ｂが矢印Ｂ方向に移動して、保持機構８によるトレイ５の保持を解除する。本図には図示していない（図８に図示する。）が、ケース側（本実施形態ではボトムケース３）に設ける凸部３０６に保持部８０２ｂが引っかかることによって、トレイ５は筐体内に保持される。
【００３０】
この保持機構８では、ロックレバー８０２を、取付け軸８０７に取り付けるコイルばね８０８（本図には図示せず）により、図６に示す位置、すなわちトレイ５を保持する位置に付勢するようにして、幅方向、奥行方向、及び高さ方向それぞれに回動可能に軸支する。従って、この保持機構８では、トレイ５の保持を解除する場合にのみモータ８０１を回転させればよく、カムギア８０４を最大でも１回転させれば必ずトレイ５の保持状態を解除することができる。また、フロントベゼル２に設けた挿入口２０３内に押し込まれた挿入部材を外せば、取付け軸８０７に取り付けるコイルばね（図示せず）により、図６に示す位置、すなわちトレイ５を保持する位置に戻る。
【００３１】
逆にトレイ５を筐体内に押し込んだ場合には、凸部３０６により保持部８０２ｂが、裏側（下面側）から見て高さ方向の下側（表側から見て高さ方向の上側）に押されるため、保持部８０２ｂがトレイ５の移動を妨げることがない。凸部３０６が保持部８０２ｂを通過した後には凸部３０６に押されていた保持部８０２ｂが元の状態に戻り、トレイ５を筐体内に保持する。
【００３２】
この保持機構８では、小型化、薄型化を図ることを優先させた構造としているため、カムギア８０４に設ける凸部８０６の位置検出器を省いているとともに、モータ８０１の回転数を制御する回路も省いている。従って、モータ８０１への通電、停電によるカムギア８０４の凸部８０６の停止位置は一定ではなく、かつ凸部８０６の停止位置を特定できない。このため、場合によっては、保持部８０２ｂが矢印Ｂ方向に回動したままでモータ８０１の回転を停止する場合もあり、かかる場合には、トレイ５を筐体内に押し込んでもトレイ５が筐体内に保持されない可能性がある。このため、この保持機構８では、ロックレバー８０２に、ロックレバー８０２とカムギア８０４の凸部８０６との当接を解除する解除部８０２ｄを設ける。
【００３３】
図７は、ロックレバー８０２とケース側に設けた凸部３０６との位置関係を示す図である。本図は、保持機構８を図５及び図６に示した位置から反時計周りに９０度回転させたときの側面図であり、説明の便宜のため、保持機構８のうちモータ８０１、ロックレバー８０２の第１の受力部８０２ａ、シャーシ８０３、カムギア８０４、ウォームギア８０５を省略している。また、図中、細線は、ロックレバー８０２の動きの理解を容易にするために引いた補助線である。
【００３４】
トレイ５を筐体内に押し込んでしばらくは図７（Ａ）に示すように、ケース側に設けた凸部３０６と解除部８０２ｄとが当接することはなく、トレイ５の移動が規制されることはない。また、保持機構８の取付け軸８０７から解除部８０２ｄまでの高さはＴ０で変化せず、保持機構８自体の高さが変わることはない。
【００３５】
次にトレイ５を筐体内に押し込み続けると、ケース側の凸部３０６とロックレバー８０２の解除部８０２とが当接する。ケース側の凸部３０６が固定されているのに対し、ロックレバー８０２は回動可能に軸支されているため、解除部８０２ｄは、ケース側の凸部３０６により、トレイ押し込み方向から見て反時計方向に回動する。つまり、図７（Ｂ）のように側面から見た場合には、解除部８０２ｄが下側（トレイ５の表側から見て上側）に移動し、これに対応して第１の受力部８０２ａは上側（トレイ５の表側から見て下側）に移動する。第１の受力部８０２ａが上側（トレイ５の表側から見て下側）に移動することによって第１の受力部８０２ａとカムギア８０４の凸部８０６の当接が解除されるため、保持部８０２ｂは必ずトレイ５を保持可能な位置に戻る。従って、カムギア８０４に設ける凸部８０６の位置検出器、モータ８０１の回転数を制御する回路といった複雑な構成を設けることなく、簡単な構成でトレイ５の支持・解除を確実に行うことができる。また、位置検出器、モータ８０１の回転数を制御する回路といった部品点数を減らせる分、保持機構を小型、薄型化できるため、光ディスク装置の小型、薄型化を図ることができ、さらには、上述のとおり複数の半導体レーザを備えた光ヘッドを用いた光ディスク装置とすることも可能になる。
【００３６】
なお、このときの保持機構８の取付け軸８０７から解除部８０２ｄまでの高さは、Ｔ０からＴ１に変化するが、保持機構８の取付け軸８０７から保持機構８のシャーシ８０３までの高さ、すなわち保持機構８自体の高さよりは小さいので、保持機構８自体の高さに変化はなく、保持機構８の薄型化に支障をきたすことはない。
【００３７】
図７（Ｂ）の状態よりさらにトレイ５を筐体内に押し込み続けると、解除部８０２ｄは元の状態に戻り、ケース側に設けた凸部３０６とロックレバー８０２の保持部８０２ｂとが接触する。ケース側の凸部３０６が固定されているのに対してロックレバー８０２は回動可能に軸支されており、ケース側に設けた凸部３０６が当接する保持部８０２ｂの当接面がトレイ押し込み方向に対して傾いているため、保持部８０２ｂは、ケース側の凸部３０６により、側面方向（本図紙面方向）から見て時計方向に回動する。従って、保持部８０２ｂによる規制を受けることなくトレイ５を装置側に押し込み続けることができる。
【００３８】
なお、このときの保持機構８の取付け軸８０７から解除部８０２ｄまでの高さは、Ｔ０からＴ２に変化するが、保持機構８の取付け軸８０７から保持機構８のシャーシ８０３までの高さ、すなわち保持機構８自体の高さよりは小さいので、保持機構８自体の高さに変化はなく、保持機構８の薄型化に支障をきたすことはない。
【００３９】
そして、トレイ５を最後まで押し込むと、図７（Ｄ）に示すように、保持部８０２ｂは元の状態に戻り、ケース側に設けた凸部３０６と当接するため、コイルばね５０４による筐体外に排出する方向の力を受けても、トレイ５を筐体内に保持する。このときの保持機構８の取付け軸８０７から解除部８０２ｄまでの高さは、Ｔ０で変化せず、保持機構８自体の高さが変わることはない。
【００４０】
図８に、保持機構８による筐体内への保持状態を示す。図８（Ａ）は、光ディスク装置１を表からみたときの、保持機構８によりトレイ５に取り付けられるユニットメカ６が筐体内に保持される状態を示す斜視図である。説明の便宜のため、フロントベゼル２、トップケース４、トレイ５、回路基板３０１等を省略して図示している。また、図８（Ｂ）は、図８（Ａ）にて円で囲った部分を拡大した拡大図である。光ディスク装置１では、本図に示すような状態でケース側（本実施形態ではボトムケース３）に設ける凸部３０６に保持部８０２ｂが引っかかることによって、トレイ５が筐体内に保持される。
【００４１】
図９はユニットメカ６の詳細を示す上面（表面）図である。説明の便宜のため、フレキシブル基板６０７、６０８及びユニットメカカバー６０３を省略して図示している。また、ユニットメカ６のうち、ハッチング部分は何も設けていない空間を示している。
【００４２】
ユニットメカ６は、ユニットメカシャーシ６０５にスピンドル６０１、スライドモータ６０４といった駆動部材、光ヘッド６０２といった移動部材を取り付けることで、振動発生源となりうる部材をユニットメカ６に集約させた構成とする。従って、光ディスク装置１に対し、スピンドル６０１による駆動機構、スライドモータ６０４による駆動機構の各々に振動対策を施す必要がなく、ユニットメカ６に対してのみ振動対策を施せばよい。上述のとおり、本実施形態では、ユニットメカ６を、弾性部材５０１、５０２及び５０３を介してトレイ５に取り付ける構成として、振動対策を施している。すなわち、このような構成のユニットメカ６を用いた光ディスク装置とすることで、スピンドル６０１による駆動機構、スライドモータ６０４による駆動機構の各々に振動対策を施す場合に比べ、振動対策を施すに必要なスペースを低減でき、光ディスク装置の小型化、薄型化を図ることができる。
【００４３】
また、ユニットメカ６に、光ヘッド６０２を支持し、その移動を案内する案内部材としてのメインガイドバー６１２及びサブガイドバー６１３を取付けるとともに回路基板６０６も取り付ける。メインガイドバー６１２は、メインガイドバー６１２を上方から押さえ、メインガイドバー６１２の位置調整可能な調整ネジ６０９によって、その取付け位置を調整できる。また、サブガイドバー６１３は、サブガイドバー６１３を上方から押さえ、サブガイドバー６１３の位置調整可能な調整ネジ６１０及び調整ネジ６１１によって、その取付け位置を調整できる。
【００４４】
光ヘッド６０２は、スライドモータ６０４が回転することによって、メインガイドバー６１２およびサブガイドバー６１３に沿って図９に示した位置とスピンドル６０１に接触する位置との間を移動する。なお、光ヘッド６０２を、メインガイドバー６１２に２点支持し、サブガイドバー６１３に１点支持し、合わせて３点支持する。３点支持が最も安定した支持方法であることから、光ヘッド６０２のがたつきを低減でき、ユニットメカ６の振動を低減することができる。サブガイドバー６１３ではなくメインガイドバー６１２で２点支持することとしたのは、メインガイドバー６１２側に移動力を受けるラック６１６があり、移動力を受けるだけの強度が光ヘッド６０２に求められるからである。
【００４５】
図１０は、ユニットメカ６の詳細を示す下面（裏面）図である。説明の便宜のため、ユニットメカカバー６０３を省略して図示している。また、ユニットメカ６のうち、ハッチング部分は何も設けていない空間を示している。スライドモータ６０４への通電により発せられる回転は、伝達機構６１４により回転数を調整して、移動部材６１５に伝達されるように構成する。移動部材６１５には、螺旋状の溝を形成する。光ヘッド６０２に取り付けられたラック６１６には突起を設け、この突起が移動部材６１５の溝に沿って移動することにより、光ヘッド６０２はメインガイドバー６１２、サブガイドバー６１３に沿って移動する。
【００４６】
トーションバー６１７は、その取付け部６１７ａをユニットメカシャーシ５に取付け、取付け部６１７ｂをサブガイドバー６１３に押さえつけ、取付け部６１７ｃをガイドビーム６１８を介してネジ６１９でユニットメカシャーシ６にネジ止めすることでユニットメカシャーシ６に取り付ける。また、ガイドビーム６１８は、メインガイドバー６１２及びサブガイドバー６１３の端部を押圧可能な構成となっている。つまり、このユニットメカ６では、メインガイドバー６１２及びサブガイドバー６１３を、トーションバー６１７の付勢力を利用して、ユニットメカ６の下側（裏側）から押圧して取り付ける。なお、トーションバー６１７の取付け部６１７ｂにサブガイドバー６１３を押圧する押圧力を与えるため、ユニットメカシャーシ６に凸部６２０を設け、トーションバー６１７を押さえつける。また、トーションバー６１７の取付け部６１７ｃをガイドビーム６１８とともにユニットメカシャーシ６にネジ止めすることで、取付け部６１７ｃの取付け位置は、ユニットメカ６の下側（裏側）から見て取付け部６１７ａ及び取付け部６１７ｂの取付け位置を取り付け部６１７ｃの取りつけ位置より高くなる。従って、トーションバー６１７は弾性変形して撓む。この撓みによる復元力が付勢力となってメインガイドバー６１２及びサブガイドバー６１３を、ユニットメカ６の下側（裏側）から押圧することになる。
【００４７】
メインガイドバー６１２、サブガイドバー６１３を各々別個のトーションバーで付勢する構成としてもよいが、図示したように、メインガイドバー６１２及びサブガイドバー６１３の両方を１本のトーションバー６１７で付勢する構成とすることにより、部品点数を減らし、簡易な構成とすることができる。
【００４８】
トーションバー６１７は、弾性変形により復元力を発するだけの強度、耐久性を考慮して樹脂に比べて弾性係数の高い金属製とすることが好ましい。一方、ガイドビーム６１８は、調整ネジ６０９、６１０及び６１１によるメインガイドバー６１２、サブガイドバー６１３の位置調整を行うことを考慮して、金属に比べて弾性係数の低い樹脂製とすることが好ましい。
【００４９】
以下、メインガイドバー６１２及びサブガイドバー６１３の取付け位置調整機構について説明する。図１１は、メインガイドバー６１２、サブガイドバー６１３とトーションバー６１７、ガイドビーム６１８、及び調整ネジ６０９、６１０、６１１との位置関係を示す斜視図である。説明の便宜のため、光ヘッド６０２、ユニットメカシャーシ６０５及びユニットメカシャーシ６０５に取り付けられる他の部材を省略して図示している。
【００５０】
光ディスクの記録面に対する光ヘッドから照射される光の照射角度が直角な場合（光軸がディスク面に対し直角）よりも、再生信号の振幅が大きくなる等の光学的に優れた照射角度があることが従来より知られており、光ディスク装置の製造過程において、光ヘッドをこの最適な照射角度に調整する光軸調整が従来より行われている。光ヘッドによる光の照射角度を調整する光軸調整には、▲１▼光が照射される光ディスクを装着するスピンドルの取付け位置（取付け角度）を調整することによる光軸調整、▲２▼光を照射する光ヘッドを支持するガイドバーの取付け位置（取付け角度）を調整することによる光軸調整、の二通りが考えられる。
【００５１】
スピンドルの取付け位置（取付け角度）を調整することで光軸調整を行うこととすると、光ディスク装置の高さを決定する要因の一つであるスピンドルに取付け位置調整機構を付加しなければならず、その分だけ高さが増すことが避けられない。従って、光ディスク装置の小型化、薄型化を図るためにはスピンドルの取付け位置（取付け角度）を調整することで光軸調整を行うのではなく、光を照射する光ヘッドを支持するガイドバーの取付け位置（取付け角度）を調整することで光軸調整を行うことが好ましい。
【００５２】
光ディスク装置１では、図１１に示すような取付け位置調整機構として、光ディスク装置の小型化、薄型化と光軸調整の容易化とを両立させている。付勢部材としてのトーションバー６１７及びガイドビーム６１８により下側（裏側）からメインガイドバー６１２、サブガイドバー６１３を上側（表側）に付勢し、調整部材としての調整ネジ６０９によってメインガイドバー６１２の取付け位置を調整する。また、調整ネジ６１０及び６１１によってサブガイドバー６１３の取付け位置を調整する。
【００５３】
光を照射する光ヘッドを支持するガイドバーの取付け位置（取付け角度）を調整する調整手順について以下説明する。
▲１▼光ヘッド６０２を光ディスク内周側に移動させてスピンドル６０１に光ディスクを装着して光を照射し、再生信号の振幅等を測定しながら、調整ネジ６０９を回すこと、すなわち調整部材を上下させることによって、調整ネジ６０９と当接しているメインガイドバー６１２を高さ方向に回動させ、調整を行う。なお、調整ネジ６０９を、スピンドル６０１の中心から６ｃｍ以上離れた位置とすることにより、調整ネジ６０９が光ディスクに隠れることがなく、容易に調整を行うことができる。この調整により光ディスクに対する光ヘッド６０２のラジアル方向の調整を行うことができる。なお、取付け部材６２１は、高さ方向にのみ回動可能に軸支している。
【００５４】
▲２▼光ヘッド６０２を光ディスク外周側に移動させてそのまま再生信号の振幅等を測定しながら、調整ネジ６１１を回すこと、すなわち調整部材を上下させることによって、調整ネジ６１１と当接しているサブガイドバー６１３を高さ方向に回動させ、調整を行う。なお、調整ネジ６１１を、スピンドル６０１の中心から６ｃｍ以上離れた位置とすることにより、調整ネジ６１１が光ディスクに隠れることがなく、容易に調整を行うことができる。この調整により光ディスクに対する光ヘッド６０２のタンジェンシャル方向の調整を行うことができる。
【００５５】
▲３▼光ディスクをスピンドル６０２から脱着し、調整ネジ６１０を回すこと、すなわち調整部材を上下させることによって、調整ネジ６１０と当接しているサブガイドバー６１３がメインガイドバー６１２と平行になるように位置調整する。このときは光ディスクをスピンドル６０２から脱着しているので、調整ネジ６１０がスピンドル６０１の中心から６ｃｍ以上離れていなくても、その調整に問題はない。
【００５６】
以上の手順によって、光を照射する光ヘッド６０２を支持するメインガイドバー６１２及びサブガイドバー６１３の取付け位置（取付け角度）を調整することができ、光ディスクの記録面に対する光ヘッドから照射する光の照射角度を変更でき、光軸調整を容易に行うことができる。
【００５７】
このような取付け位置調整機構は、全てユニットメカシャーシ６に組み込めるため、光ディスク装置の小型化、薄型化に影響を与えることはほとんどない。さらに、光ディスク装置の高さを決定する要因の一つであるスピンドルの高さを増大させることがなくなるため、光ディスク装置の小型化、薄型化を図ることができる。
【００５８】
なお、このような取付け位置調整機構には、光ディスク装置の大小に関係なく、上側（表側）から調整部材で取付け位置を調整することができるので、下側（裏側）から取付け位置を調整する場合に比べ、容易に取付け位置の調整、すなわち光軸調整を行うことができる利点もある。
【００５９】
特に、光ディスク装置１では、図２及び図３に図示しているとおり、トレイ５に調整ネジ６０９に対応した開口部５０６及び調整ネジ６１０に対応した開口部５０７を設けているため、トレイ５にユニットメカ６を取り付けた状態で容易に取付け位置の調整を行うことができる。従って、小型化、薄型化を図った光ディスク装置において、光ディスク装置をほぼ組み立てた状態で光軸調整を行うことができる点で、光ディスク装置の製造を容易に行える。
【００６０】
【発明の効果】
本発明によれば、小型化、薄型化を図った光ディスク装置とすることができる。特に、トレイに、モータとロックレバーとを備えた保持機構を取付ける構成とすることにより、保持機構を小型化、薄型化できるため、光ディスク装置の小型化、薄型化を妨げることなく光ヘッドを大型化することができる。
【図面の簡単な説明】
【図１】図１は、本発明を適用した光ディスク装置１の全体図である。
【図２】図２は、トレイ５が排出された状態での光ディスク装置１を表から見た斜視図である。
【図３】図３は、トレイ５が排出された状態での光ディスク装置１であり、トップカバー４を外した状態の上面図である。
【図４】図４は、トレイ５が排出された状態での光ディスク装置１の下面図である。
【図５】図５は、トレイ５が排出された状態での光ディスク装置１であり、ベゼル７を外した状態の下面図である。
【図６】図６は。図５に示した保持機構８を裏側から見たときの詳細を示す斜視図である。
【図７】図７はロックレバー８０２とケース側に設けた凸部との位置関係を示す図である。
【図８】図８は、光ディスク装置１を表から見たときの保持機構８によりトレイ５に取り付けられるユニットメカ６が筐体内に保持される状態を示す斜視図である。
【図９】図９はユニットメカ６の詳細を示す上面図である。
【図１０】図１０は、ユニットメカ６の詳細を示す下面図である。
【図１１】図１１は、被調整部材としてのメインガイドバー６１２、サブガイドバー６１３と調整部材としてのトーションバー６１７、ガイドビーム６１８、及び調整ネジ６０９、６１０、６１１との位置関係を示す斜視図である。
【符号の説明】
１…光ディスク装置、２…フロントベゼル、３…ボトムケース、４…トップケース、５…トレイ、６…ユニットメカ、７…ベゼル、８…保持機構、８０１…モータ、８０２…ロックレバー、８０３…シャーシ、８０４…カムギア、８０５…ウォームギア、８０６…凸部、８０７…取付け軸、８０８，８０９…ネジ穴。
【図１】
0003726547.tif 000002
【図２】
0003726547.tif 000003
【図３】
0003726547.tif 000004
【図４】
0003726547.tif 000005
【図５】
0003726547.tif 000006
【図６】
0003726547.tif 000007
【図７】
0003726547.tif 000008
【図８】
0003726547.tif 000009
【図９】
0003726547.tif 000010
【図１０】
0003726547.tif 000011
【図１１】
0003726547.tif 000012